(57)【特許請求の範囲】
【請求項１】
一方の取付部（１）および他方の取付部（４）をゴム状弾性材製の弾性体（８）を介して接続するとともに前記他方の取付部（４）にダイアフラム（９）を接続して気密空間（１０）を設け、前記他方の取付部（４）の内側に仕切部（１１）を設けて前記気密空間（１０）を一方の取付部（１）側の第一液室（１２）とダイアフラム（９）側の第二液室（１３）とに仕切り、前記仕切部（１１）に前記両室（１２）（１３）を連通させるオリフィス（１４）を設けるとともに前記両室（１２）（１３）に作動液（１５）を封入した液体封入式マウントにおいて、前記仕切部（１１）の内部に第三液室（１９）を設け、前記仕切部（１１）にゴム状弾性材製のサブダイアフラム（１８）をその一面（１８ａ）が前記第一液室（１２）に面するとともにその他面（１８ｂ）が前記第三液室（１９）に面するように設け、前記第三液室（１９）と前記オリフィス（１４）の間に両者（１４）（１９）を連通させる連通部（１７ｆ）を設けたことを特徴とする液体封入式マウント。
【発明の詳細な説明】
【０００１】
【発明の属する技術分野】
本発明は、自動車等において、防振装置ないし防振支持装置として用いられる液体封入式マウントに関する。
【０００２】
【従来の技術】
図６に示すように、本願発明者らが先に提案した液体封入式マウントにおいては、当該マウントに対して図上上方からアイドル振動が入力すると、第一液室５１の内圧が変化して第一液室５１内の作動液５２がオリフィス５３を通って第三液室５４に流れ、サブダイアフラム５５が共振して内圧の変化をキャンセルするようになっている（実開平６−７８６４４号公報参照）。したがってこの液体封入式マウントによると、アイドル振動が入力してからサブダイアフラム５５が共振動作するまでの間において、応答性に問題を生じることがあり、これに対してアイドル振動の入力に対する応答性に優れた液体封入式マウントの開発が望まれている。
【０００３】
【発明が解決しようとする課題】
本発明は以上の点に鑑み、上記従来技術に対し、アイドル振動の入力に対して優れた応答性を発揮することが可能な液体封入式マウントを提供することを目的とする。
【０００４】
【課題を解決するための手段】
上記目的を達成するため、本発明の液体封入式マウントは、一方の取付部および他方の取付部をゴム状弾性材製の弾性体を介して接続するとともに前記他方の取付部にダイアフラムを接続して気密空間を設け、前記他方の取付部の内側に仕切部を設けて前記気密空間を一方の取付部側の第一液室とダイアフラム側の第二液室とに仕切り、前記仕切部に前記両室を連通させるオリフィスを設けるとともに前記両室に作動液を封入した液体封入式マウントにおいて、前記仕切部の内部に第三液室を設け、前記仕切部にゴム状弾性材製のサブダイアフラムをその一面が前記第一液室に面するとともにその他面が前記第三液室に面するように設け、前記第三液室と前記オリフィスの間に両者を連通させる連通部を設けることにした。
【０００５】
【作用】
上記構成を備えた本発明の液体封入式マウントにおいては、サブダイアフラムの一面が第一液室に直接、面しているために、当該マウントに対して一方の取付部側からアイドル振動が入力すると、第一液室の内圧が変化するのに対してオリフィスの後半部分が直ちに液柱共振する。
【０００６】
【発明の実施の形態】
仕切部の内部に第三液室を設け、仕切部にサブダイアフラムをその一面が第一液室に面するとともにその他面が第三液室に面するように設け、更に第三液室とオリフィスの間に両者を連通させる連通部を設けるに際しては、仕切部を一対の仕切部材によって構成し、両部材の間にオリフィスおよび第三液室を設け、第一液室側の仕切部材にサブダイアフラム取付孔を設けてこの取付孔にサブダイアフラムを架設し、第三液室とオリフィスとを画する堰部に切欠状の連通部を設けるのが好適である。
【０００７】
【実施例】
つぎに本発明の実施例を図面にしたがって説明する。
【０００８】
図１に示すように、センターボス２を備えた一方の取付部１と、環状のケース５、カップ状の蓋６および取付ボルト７を備えた他方の取付部４とが環状を呈するゴム状弾性材製の弾性体（ゴム脚部とも称する）８を介して接続されており、他方の取付部４にゴム状弾性材製のダイアフラム９がその外周縁部をもって接続され、これらに囲まれて当該マウントの内部に気密空間１０が設けられ、この気密空間１０が、他方の取付部４の内側（ケース５の内周側）に設けられた仕切部１１によって一方の取付部１側（上側）の第一液室（主液室とも称する）１２と、ダイアフラム９側（下側）の第二液室（副液室とも称する）１３とに仕切られ、仕切部１１に両室１２，１３を連通させるオリフィス（オリフィス流路とも称する）１４が設けられ、両室１２，１３に粘性流体等の作動液（内封液とも称する）１５が封入されている。センターボス２に、取付ボルト（図示せず）を螺合するねじ孔３が設けられている。弾性体８はセンターボス２およびケース５に対してそれぞれ加硫接着されており、ケース５がその下端部において、仕切部１１、ダイアフラム９および蓋６の各外周縁部を纏めてカシメ固定している。蓋６の内部は図示しない通気孔によって大気開放されている。
【０００９】
第一液室１２と第二液室１３とを連通させるオリフィス１４を設けた仕切部１１が、金属等剛材製の第一液室１２側（上側）の仕切部材（オリフィスケースとも称する）１６と、同じく金属等剛材製の第二液室１３側（下側）の仕切部材１７と、ゴム状弾性材製のサブダイアフラム１８とを備えており、これらがそれぞれ以下のように構成されている。
【００１０】
すなわち、先ず、上側の仕切部材１６が略伏皿状に形成されていて、平板状の底壁部１６ａと、底壁部１６ａの外周縁部から下向きに設けられた環状の周壁部１６ｂと、周壁部１６ｂの下端部から外向きに設けられた環状のフランジ部１６ｃとを一体に備えており、フランジ部１６ｃがダイアフラム９および蓋６の各外周縁部とともにケース５の下端部にカシメ固定されている。底壁部１６ａの中央にサブダイアフラム１８を架設するサブダイアフラム取付孔１６ｄが設けられ、同じく底壁部１６ａの一隅にオリフィス１４の上側開口部１６ｅが設けられている。サブダイアフラム１８は略円盤状に形成されていて、その外周縁部においてサブダイアフラム取付孔１６ｄの周縁部に全周に亙って加硫接着されている（実質的にこの取付孔１６ｄを塞いでいる）。
【００１１】
下側の仕切部材１７が、上側の仕切部材１６の周壁部１６ｂの内周側に嵌着されている。この下側の仕切部材１７は略円盤状に形成されていて、平板状の中央平板部１７ａと、中央平板部１７ａの外周縁部に設けられた環状の堰部１７ｂと、図２または図３に示すように、円周上の一箇所に設けられたオリフィス短絡防止用の広幅の堰部１７ｃと、環状の堰部１７ｂの外周側に設けられた環状のフランジ部１７ｄとを一体に備えており、環状の堰部１７ｂの上端部が上側の仕切部材１６の底壁部１６ａの下面に接触するとともにフランジ部１７ｄの外周縁部が上側の仕切部材１６の周壁部１６ｂの内周面に接触するようにして、上側の仕切部１６の周壁部１６ｂの内周側に嵌着されている。フランジ部１７ｃの円周上の一箇所にオリフィス１４の下側開口部１７ｅが上側開口部１６ｄに対して円周上所定角度変位して設けられている。オリフィス１４は、上側の仕切部材１６の底壁部１６ａおよび周壁部１６ｂならびに下側の仕切部材１７の堰部１７ｂおよびフランジ部１７ｄに囲まれた流路として環状の堰部１７ｂの外周側を巡るように設けられ、上側開口部１６ｅにおいて第一液室１２に開口するとともに下側開口部１７ｅにおいて第二液室１３に開口している。
【００１２】
環状の堰部１７ｂの内周側において、中央平板部１７ａと底壁部１６ａの間に第三液室１９が設けられており、サブダイアフラム１８がその一面（上面）１８ａにおいて第一液室１２に面するとともに、その他面（下面）１８ｂにおいてこの第三液室１９に面している。また環状の堰部１７ｂの円周上の一箇所に、この第三液室１９とオリフィス１４とを連通させる切欠状の連通部１７ｆが設けられている。
【００１３】
上記構成を備えた液体封入式マウントは、例えば、他方の取付部４をもって自動車の車体側に取り付けられるとともに一方の取付部１をもって自動車のエンジン側に取り付けられてこのエンジンを弾性的に支持するもので、当該マウントに対して一方の取付部１側から３０〜４０Ｈｚ前後のアイドル振動が入力すると、第一液室１２の内圧が変化し、これに対してサブダイアフラム１８がこの内圧の変化を第三液室１９に伝える。この内圧の変化は、作動液１５が連通部１７ｆおよびオリフィス１４を通り、第二液室１３でキャンセルする。このとき連通部１７ｆから第二液室１３に至るオリフィス１４の後半部分で液柱共振が発生して動ばね定数を下げることによって、このアイドル振動を振動絶縁することができる。また当該マウントに対して１０Ｈｚ前後の低周波振動が入力すると、このときにオリフィス１４内で発生する液柱共振によって低周波振動を減衰させる。したがってこれらによってアイドル振動の入力に対して振動絶縁するとともに低周波振動に対して大きな減衰力を発揮することになり、これらの意味において高性能のマウント製品を提供することができる。また上記従来技術に対して部品点数が増加していないのも、当該マウントの特徴の一つである。
【００１４】
図４は当該マウントの動ばね定数の変化を示しており、アイドル振動の入力に係る３０〜４０Ｈｚ近辺と、低周波振動の入力に係る１０Ｈｚ近辺においてそれぞれ、動ばね定数が低下していることが判る。また図５は、上記した従来技術に係る図６に対応して、当該マウントのモデル（模式図）を示している。
【００１５】
【発明の効果】
本発明は、以下の効果を奏する。
【００１６】
すなわち、上記構成を備えた本発明の液体封入式マウントにおいては、サブダイアフラムの一面が第一液室に面しているために、当該マウントに対して一方の取付部側からアイドル振動が入力すると、第一液室の内圧が変化するのに対してオリフィスの後半部分が直ちに液柱共振して動ばね定数を下げる。したがってアイドル振動を振動絶縁することができる。また当該マウントに対して低周波振動が入力すると、第一液室の内圧が変化して第一液室内の作動液がオリフィスを通過して第二液室に流れ、このときに発生する液柱共振によって低周波振動を減衰させる。したがってこれらによってアイドル振動の入力に対して振動絶縁するとともに低周波振動に対して大きな減衰力を発揮する高性能のマウント製品を提供することができる。
【図面の簡単な説明】
【図１】本発明の実施例に係る液体封入式マウントの断面図
【図２】下側の仕切部材の平面図
【図３】図２におけるＡ−Ｏ−Ａ線断面図
【図４】同液体封入式マウントの動ばね定数の変化を示すグラフ図
【図５】同液体封入式マウントの構造を示すモデル図
【図６】従来例に係る液体封入式マウントの構造を示すモデル図
【符号の説明】
１  一方の取付部
２  センターボス
３  ねじ孔
４  他方の取付部
５  ケース
６  蓋
７  取付ボルト
８  弾性体
９  ダイアフラム
１０  気密空間
１１  仕切部
１２  第一液室
１３  第二液室
１４  オリフィス
１５  作動液
１６  上側の仕切部材
１６ａ  底壁部
１６ｂ  周壁部
１６ｃ，１７ｄ  フランジ部
１６ｄ  ダイアフラム取付孔
１６ｅ  上側開口部
１７  下側の仕切部材
１７ａ  中央平板部
１７ｂ，１７ｃ  堰部
１７ｅ  下側開口部
１７ｆ  連通部
１８  サブダイアフラム
１８ａ  一面
１８ｂ  他面
１９  第三液室
【図１】
0003546902.tif 000002
【図２】
0003546902.tif 000003
【図３】
0003546902.tif 000004
【図４】
0003546902.tif 000005
【図５】
0003546902.tif 000006
【図６】
0003546902.tif 000007